(57)【特許請求の範囲】
【請求項１】
無線タグに対する問合せ信号を無線送信する送信手段と、
この送信手段から無線送信される問合せ信号に対して無線タグから無線送信される応答信号を受信する受信手段と、
無線タグの登録処理及び報知処理のいずれかを選択する選択手段と、
この選択手段で前記登録処理が選択されたとき、前記送信手段に問合せ信号を送信させるとともに、任意の名称の入力を受け付け、前記受信手段が無線タグから受信した応答信号にて示される当該無線タグの識別情報と、入力を受け付けた名称とを対応付けて記憶手段に登録する登録手段と、
前記選択手段で前記報知処理が選択されたとき、前記送信手段に問合せ信号を繰り返し送信させるとともに、前記記憶手段に登録された識別情報に対応する無線タグからの応答信号が前記受信手段により所定時間受信されないことに応じてその旨を報知する報知手段と、
を備えていることを特徴とする無線通信装置。
【請求項２】
前記記憶手段に登録された複数の識別情報にそれぞれ対応する複数の無線タグの中から任意の無線タグの指定を受け付ける指定手段をさらに備え、
前記報知手段は、前記指定手段により指定された無線タグからの応答信号が前記受信手段により所定時間受信されないことに応じてその旨を報知することを特徴とする請求項１に記載の無線通信装置。
【請求項３】
前記報知手段は、前記指定手段により複数の無線タグが指定されているとき、これら指定された無線タグの中に応答信号が前記受信手段により所定時間受信されないものが１つでもあるならばその旨を報知することを特徴とする請求項２に記載の無線通信装置。
【請求項４】
前記報知手段は、前記送信手段に問合せ信号を送信させた後に所定時間を待ち、再度前記送信手段に問合せ信号を送信させる動作を繰り返し実行し、複数回に亘って前記記憶手段に登録された識別情報に対応する無線タグからの応答信号が前記受信手段により受信されないことに応じてその旨を報知することを特徴とする請求項１乃至３のうちいずれか１に記載の無線通信装置。
【請求項５】
前記報知手段は、当該無線通信装置により所定の処理が実行されている間、報知を行わないことを特徴とする請求項１乃至４のうちいずれか１に記載の無線通信装置。
【請求項６】
無線タグに対する問合せ信号を無線送信する送信手段と、この送信手段から無線送信される問合せ信号に対して無線タグから無線送信される応答信号を受信する受信手段と、を備えたコンピュータを、
無線タグの登録処理及び報知処理のいずれかを選択する選択手段、
この選択手段で前記登録処理が選択されたとき、前記送信手段に問合せ信号を送信させるとともに、任意の名称の入力を受け付け、前記受信手段が無線タグから受信した応答信号にて示される当該無線タグの識別情報と、入力を受け付けた名称とを対応付けて記憶手段に登録する登録手段、および、
前記選択手段で前記報知処理が選択されたとき、前記送信手段に問合せ信号を繰り返し送信させるとともに、前記記憶手段に登録された識別情報に対応する無線タグからの応答信号が前記受信手段により所定時間受信されないことに応じてその旨を報知する報知手段、
として機能させるための制御プログラム。
【発明の詳細な説明】
【技術分野】
【０００１】
本発明の実施形態は、物品に取り付けられた無線タグと無線通信し、この無線通信により無線タグから得た情報を用いて各種の情報処理を行う無線通信装置およびその制御プログラムに関する。
【背景技術】
【０００２】
アンテナを備え、このアンテナの交信領域内に存在する無線タグと電波を利用して無線通信を行うことにより、無線タグに実装されたメモリからデータを読み出したり同メモリにデータを書き込むことが可能な無線通信装置が開発され、実用化されている。各無線タグのメモリには固有のタグコードが記憶されており、そのタグコードを読み取ることにより、無線タグを個々に識別することができる。このような無線タグは、ＲＦＩＤ（Radio Frequency Identification）などと称されている。また、無線通信装置は、ＲＦＩＤリーダなどと称されている。
【先行技術文献】
【特許文献】
【０００３】
【特許文献１】特開２００５−２１６０４８号公報
【発明の概要】
【発明が解決しようとする課題】
【０００４】
我々の日常生活における様々な場面においては、その日に身に着けていたり、バッグ等に入れたりして携行している持ち物を、どこかに置き忘れてしまうことがしばしばある。このような置き忘れは、ある場所から移動するときなどの所定のタイミングで自分の持ち物を確認することで、ある程度防止できる。しかし、確認作業の実施は手間であるし、確認作業を実施し忘れたり急用のために確認作業を実施する時間がないこともある。さらに、確認作業を実施したとしても確認漏れが生じることもある。
【０００５】
このような事情から、手作業で持ち物の存否を確認する手間を省き、かつ確実に持ち物の置き忘れを防止するための手段を講じる必要があった。
【課題を解決するための手段】
【０００６】
一態様における無線通信装置は、送信手段、受信手段、選択手段、登録手段、および報知手段を備えている。送信手段は、無線タグに対する問合せ信号を無線送信し、受信手段は、問合せ信号に対して無線タグから無線送信される応答信号を受信する。選択手段は、無線タグの登録処理及び報知処理のいずれかを選択する。登録手段は、選択手段で登録処理が選択されたとき、送信手段に問合せ信号を送信させるとともに、任意の名称の入力を受け付け、受信手段が無線タグから受信した応答信号にて示される当該無線タグの識別情報と、入力を受け付けた名称とを対応付けて記憶手段に登録する。そして、報知手段は、選択手段で報知処理が選択されたとき、送信手段に問合せ信号を繰り返し送信させるとともに、記憶手段に登録された識別情報に対応する無線タグからの応答信号が受信手段により所定時間受信されないことに応じてその旨を報知する。
【図面の簡単な説明】
【０００７】
【図１】一実施形態におけるシステム構成を示す図。
【図２】同実施形態におけるＲＦＩＤタグを示す図。
【図３】同実施形態におけるＲＦＩＤタグを示す図。
【図４】同実施形態における携帯電話の制御回路を示すブロック図。
【図５】同実施形態における登録タグテーブルのデータ構造例を示す模式図。
【図６】同実施形態における登録処理の流れを示すフローチャート。
【図７】同実施形態における登録画面の一例を示す模式図。
【図８】同実施形態における指定画面の一例を示す模式図。
【図９】同実施形態における忘れ物警告処理の流れを示すフローチャート。
【図１０】同実施形態における指定タグテーブルのデータ構造例を示す模式図。
【発明を実施するための形態】
【０００８】
以下、一実施形態について図面を参照しながら説明する。  
なお、この実施形態においては、無線通信装置の一例として、通話やパケット通信用の基地局との通信機能を備えた携帯電話を例示する。
【０００９】
（第１の実施形態）
［システム構成］  
本実施形態におけるシステム構成を図１に示す。このシステムは、本実施形態における無線通信装置として機能する携帯電話１と、物品に取り付けられた無線タグである複数のＲＦＩＤタグ２とで構成される。
【００１０】
携帯電話１の筐体には、例えばＬＣＤ（Liquid Crystal Display）であるディスプレイ１２と、複数の操作ボタンやディスプレイ１２の表示面上に設けられたタッチパネルにて構成される入力部１３と、上記基地局との通信用の携帯電話用アンテナ１７とが設けられている。携帯電話１には、ＲＦＩＤタグ２に問合せ信号を送信し、ＲＦＩＤタグ２からの応答信号を受信するリーダユニット１６が内蔵されている（図４参照）。このリーダユニット１６からの上記問合せ信号は、携帯電話１の周囲に向けて送信され、携帯電話１を持つユーザを覆う程度の大きさの交信領域を形成する。
【００１１】
物品に取り付けられる前のＲＦＩＤタグ２は、例えば図２に示すように樹脂材料等で形成されたタグ基材２０に、ＩＣ２１と一対のアンテナ２２とを有するインレットを設けて構成される。ＩＣ２１内のメモリには、各ＲＦＩＤタグ２で重複しないタグコード、例えばＲＦＩＤタグ２の販売元のＳＧＴＩＮ（シリアルナンバ＋ＪＡＮコード）等が記憶されている。
【００１２】
このような構成のＲＦＩＤタグ２は、例えばタグ基材２０の裏面に粘着層が形成され、剥離紙３に複数枚並べて貼付された状態で保管されている。そして、ユーザが剥離紙３からＲＦＩＤタグ２を剥がし、所望の物品に貼り付けることで、その物品に取り付けられる。
【００１３】
なお、ＲＦＩＤタグ２は、例えば図３に示すように厚手のタグ基材２３にＩＣ２１とアンテナ２２とを有するインレットを埋め込み、同基材２３に物品への取り付け用のリング２４を設けたキーホルダー型であってもよい。このようにすれば、貼り付けが困難な物品、例えば図示したような鍵２５に対しても容易にＲＦＩＤタグ２を取り付けることができる。その他にも、クリップにてＲＦＩＤタグ２を物品に取り付ける等、ＲＦＩＤタグ２の取り付け方法としては種々のものを採用し得る。
【００１４】
［制御回路］  
図４に携帯電話１の制御回路を示す。携帯電話１は、ＣＰＵ（Central Processing Unit）を主体として構成される主制御部１０を備える。この主制御部１０にメモリ１１、上記ディスプレイ１２、上記入力部１３、通信部１４、音声入出力部１５、および上記リーダユニット１６を接続し、通信部１４に上記アンテナ１７を接続し、音声入出力部１５にスピーカ１８およびマイク１９を接続して、携帯電話１の制御回路が構成される。なお、当該制御回路を構成する各部は、例えば携帯電話１の筐体に着脱されるバッテリ１００からの電源供給を受けて動作する。
【００１５】
メモリ１１は、ＲＯＭ（Read Only Memory）やＲＡＭ（Random Access Memory）にて構成され、主制御部１０によって実行される制御プログラムや、後述の登録タグテーブル１１１（図５参照）等を記憶する。
【００１６】
通信部１４は、アンテナ１７を介して行われる携帯電話基地局との相互通信を制御する。
【００１７】
マイク１９は、携帯電話１の周囲の音声を集音して音声信号を生成し、音声入出力部１５に出力する。音声入出力部１５は、マイク１９から入力される音声信号をＡ／Ｄ変換して主制御部１０に出力する。また、音声入出力部１５は、主制御部１０からの指令に応じた音声信号を生成し、スピーカ１８に出力する。スピーカ１８は、音声入出力部１５から入力される音声信号に応じて実際の音声を発生させる。
【００１８】
リーダユニット１６は、リーダ制御部１６０と、送信部１６１と、上記アンテナ１６２と、受信部１６３と、ＡＧＣ（Automatic Gain Control）回路１６４と、を備える。  
送信部１６１は、リーダ制御部１６０から供給されるアナログの送信データ信号で所定の搬送波を変調し、この変調した信号を増幅してアンテナ１６２に供給する。アンテナ１６２は、送信部１６１から供給される信号を電波（問合せ信号）として放射するとともに、自身の交信領域内に存在するＲＦＩＤタグ２から送信される電波（応答信号）を受信してアナログの受信データ信号を生成する。この受信データ信号は、受信部１６３に供給される。受信部１６３は、アンテナ１６２から供給される受信データ信号を増幅し、増幅した信号から所定の搬送波成分を除去する復調を行い、復調した信号のうち所定の低周波数帯の信号をＬＰＦ（Low Pass Filter）で抽出する処理を行う。この抽出後の信号が上記ＡＧＣ回路１６４に供給される。ＡＧＣ回路１６４は、受信部１６３から供給される信号を増幅するとともに、増幅後の信号レベルが一定の適正レベルとなるように利得を調整する。このＡＧＣ回路１６４の出力信号がリーダ制御部１６０に供給される。
【００１９】
主制御部１０は、メモリ１１に記憶された制御プログラムを実行することにより、選択部１０１、登録部１０２、指定部１０３、および警告部１０４（報知手段）として機能する。また、主制御部１０は、計時手段として機能するタイマ１０５を備える。  
選択部１０１は、ＲＦＩＤタグ２の登録処理および忘れ物警告処理（報知処理）から実行すべき処理の選択を受け付ける。  
登録部１０２は、選択部１０１で登録処理が選択されているときに登録処理を実行し、受信部１６３で受信される応答信号で識別されるＲＦＩＤタグ２を上記登録タグテーブル１１１に登録する。登録処理の詳細については、図６，図７の説明にて後述する。  
指定部１０３は、登録タグテーブル１１１に登録されたＲＦＩＤタグ２の中から上記忘れ物警告処理での監視対象とすべきＲＦＩＤタグ２の指定を受け付ける。指定部１０３の動作の詳細については、図８の説明にて後述する。  
警告部１０４は、指定部１０３により指定を受け付けた監視対象のＲＦＩＤタグ２からの応答信号がリーダユニット１６で所定時間受信されないことに応じて警告を発する。警告部１０４の動作の詳細については、図９の説明にて後述する。
【００２０】
メモリ１１に記憶される上記登録タグテーブル１１１について説明する。  
図５は、登録タグテーブル１１１のデータ構造例を示す模式図である。このテーブル１１１は、上記登録処理においてリーダユニット１６でＲＦＩＤタグ２から読み取られるタグコードと、入力部１３を介して入力される登録名称等の文字列とを対応付けたレコードで構成される。なお、図５には既にいくつかのレコードが生成された状態を示しているが、携帯電話１の出荷当初や所定の処理により登録タグテーブル１１１をクリアした後には、該テーブル１１１にレコードがない状態となる。
【００２１】
次に、携帯電話１の動作について説明する。  
携帯電話１のアイドル時においては、選択部１０１がタグコードの登録処理および忘れ物警告処理のいずれかの選択を受け付けている。このとき入力部１３の操作により登録処理が選択されると、登録部１０２による登録処理が実行され、入力部１３の操作により忘れ物警告処理が選択されると、指定部１０３および警告部１０４による忘れ物警告処理が実行される。  
以下、各処理について説明する。
【００２２】
［登録処理］  
登録処理は、所定のＲＦＩＤタグ２を新たに登録タグテーブル１１１に登録する処理である。具体的には、登録しようとするＲＦＩＤタグ２のタグコードと、同ＲＦＩＤタグ２を付して管理しようとする物品を識別可能な登録名称とを対応付けてなるレコードを、新たに登録タグテーブル１１１に追加する。
【００２３】
図６は、登録処理の流れを示すフローチャートである。ユーザが入力部１３を操作して登録処理の開始を指示すると、登録部１０２は、図７（ａ）に示す登録画面５をディスプレイ１２に表示させる（ステップＳ１０１）。この登録画面５には、ＲＦＩＤタグ２の読み取りを促すメッセージと、読み取られたタグコードを表示するためのエリア５１と、入力された登録名称を表示するためのエリア５２と、メニューボタン５３および戻ボタン５４とが配置されている。
【００２４】
登録画面５を表示した後、登録部１０２は、リーダユニット１６にリードコマンドを出力し（ステップＳ１０２）、ＲＦＩＤタグ２からの応答を待つ（ステップＳ１０３のＮｏ）。上記リードコマンドを受け、リーダ制御部１６０から送信データ信号が送信部１６１に出力され、アンテナ１６２から問合せ信号が無線送信される。このとき、アンテナ１６２の交信領域内に１つでもＲＦＩＤタグ２が存在していれば、そのＲＦＩＤタグ２から応答信号が無線送信される。
【００２５】
ユーザがアンテナ１６２の交信領域内にＲＦＩＤタグ２を翳すと、そのＲＦＩＤタグ２から無線送信される応答信号がアンテナ１６２で受信され、受信部１６３およびＡＧＣ回路１６４を経てリーダ制御部１６０に入力される。リーダ制御部１６０は、入力された応答信号を主制御部１０に出力する。このとき登録部１０２は、主制御部１０に入力された応答信号で識別されるＲＦＩＤタグ２が登録タグテーブル１１１に登録済みであるか否かを判定する（ステップＳ１０４）。具体的には、主制御部１０に入力された応答信号で示されるタグコードと、登録タグテーブル１１１の各レコードのタグコードとを比較し、一致するレコードが存在するならば当該ＲＦＩＤタグ２が登録済みであると判定し、一致するレコードが存在しないならば当該ＲＦＩＤタグ２が登録済みでないと判定する。
【００２６】
応答信号で識別されるＲＦＩＤタグ２が登録済みでないと判定した場合（ステップＳ１０４のＮｏ）、登録部１０２は、図７（ｂ）に示すように当該応答信号で示されるタグコードを登録画面５のエリア５１に表示する。そして、登録名称の入力を受け付ける状態で（ステップＳ１０５）、その入力の完了を待つ（ステップＳ１０６のＮｏ）。このときユーザが入力部１３を操作して登録名称を入力すると、入力された名称がエリア５２に表示される。
【００２７】
さらに、ユーザが入力部１３を操作して登録画面５ｂに配置されたＯＫボタン５５を操作すると、登録部１０２は、登録名称の入力が完了したと判定する（ステップＳ１０６のＹｅｓ）。このとき、登録部１０２は、登録タグテーブル１１１を参照し、入力された登録名称が使用されているか否かを判定する（ステップＳ１０７）。使用されていないと判定した場合（ステップＳ１０７のＹｅｓ）、登録部１０２は、エリア５１に表示されているタグコードと、エリア５２に表示されている登録名称とを対応付けたレコードを生成して登録タグテーブル１１１に追加する（ステップＳ１０８）。かくしてＲＦＩＤタグ２が新たに登録タグテーブル１１１に登録され、登録処理が終了する。
【００２８】
一方、ステップＳ１０４の処理にてＲＦＩＤタグ２が登録タグテーブル１１１に登録済みであると判定した場合（ステップＳ１０４のＹｅｓ）、およびステップＳ１０７の処理にて入力された登録名称が使用されていると判定した場合には（ステップＳ１０７のＮｏ）、登録部１０２は、当該ＲＦＩＤタグ２が登録済みである旨や、登録名称が既に使用されている旨を報知する（ステップＳ１０９）。この報知は、例えば図７（ｃ）に示した「このタグは名称登録済みです」とのメッセージを登録画面５に表示することで行う。この報知の後、登録部１０２は、操作に応じた処理を実行する。例えば戻ボタン５４が操作されたならばエリア５１，５２に表示中のタグコードおよび登録名称を破棄してステップＳ１０２の処理に戻り、再びＲＦＩＤタグ２の読み取りを試行する。また、メニューボタン５３が操作されたならば図７（ｄ）に示すように登録画面５上に「編集」ボタン，「削除」ボタンを表示させる。この登録画面５において、「編集」ボタンが操作されたならばエリア５１，５２に表示されたタグコード，登録名称の編集を受け付け、「削除」ボタンが操作されたならばエリア５１，５２に表示中のタグコードおよび登録名称を破棄してステップＳ１０２の処理に戻り、再びＲＦＩＤタグ２の読み取りを試行する。
【００２９】
このような流れの登録処理により、ユーザは、所望のＲＦＩＤタグ２を携帯電話１による管理対象として登録することができる。
【００３０】
［忘れ物警告処理］  
忘れ物警告処理は、登録タグテーブル１１１に登録されたＲＦＩＤタグ２（すなわち、ＲＦＩＤタグ２が取り付けられた物品）のうち、指定部１０３によって指定されたものをどこかに置き忘れたりした際に警告を発する処理である。  
先ず、忘れ物警告処理の起動手順を説明する。  
携帯電話１のアイドル時において、選択部１０１が入力部１３の操作により忘れ物警告処理の選択を受け付けると、指定部１０３が図８（ａ）に示す監視対象の指定画面６をディスプレイ１２に表示させる。この指定画面６には、登録タグテーブル１１１の各レコードの登録名称がチェックボックスとともに一覧表示される。さらに、一覧表示された各登録名称の下方にはメニューボタン６１と、戻ボタン６２とが配置され、各登録名称の右隣にはスクロールバー６３が配置されている。入力部１３によりいずれかの登録名称が指定されると、その登録名称に隣り合うチェックボックスがチェックされる。登録タグテーブル１１１に多数のレコードが登録されており、指定画面６中に一度に全ての登録名称を表示できない場合にはその一部のみ表示され、スクロールバー６３を用いたスクローリング操作がなされた際に表示する登録名称が切り替わる。戻ボタン６２が操作されると指定画面６が消去され、再び選択部１０１による処理の選択が行われる。
【００３１】
入力部１３によりメニューボタン６１が操作されると、図８（ｂ）に示すように「忘れ物警告」，「リスト管理」，「絞り込み検索」，「削除」の中から実行すべき処理を選択させるためのリストとＯＫボタン６４とが表示される。入力部１３の操作により「リスト管理」が選択された状態でＯＫボタン６４が操作されると、登録タグテーブル１１１の各レコードの編集処理が開始される。また、入力部１３の操作により「絞り込み検索」が選択された状態でＯＫボタン６４が操作されると、例えば入力部１３により入力される文字列と全てあるいは一部が一致する登録名称を指定画面６の一覧表示中から検索し、発見した登録名称の表示色を変更するなどして検索結果を報知する検索処理が開始される。また、入力部１３の操作により「削除」が選択された状態でＯＫボタン６４が操作されると、チェックボックスがチェックされた登録名称に対応するレコードが登録タグテーブル１１１から消去される。
【００３２】
入力部１３の操作により少なくとも１つのチェックボックスがチェックされた状態で「忘れ物警告」が選択され、ＯＫボタン６４が操作されると、警告部１０４により上記忘れ物警告処理が開始される。この処理は、通話や電子メールの作成および送受信など、携帯電話１の各機能の使用中であっても、バックプロセスとして動作し続ける。
【００３３】
図９は、忘れ物警告処理の流れを示すフローチャートである。処理開始当初において、先ず警告部１０４は、指定部１０３によって指定された監視対象のＲＦＩＤタグ２のタグコード、すなわち指定画面６においてチェックボックスがチェックされた登録名称に対応するタグコードを登録タグテーブル１１１から抽出する（ステップＳ２０１）。しかる後、警告部１０４は、抽出したタグコードを用いて図１０に示す指定タグテーブル１１２をメモリ１１に生成する（ステップＳ２０２）。このテーブル１１２は、上記抽出されたタグコード毎に、各タグコードで識別されるＲＦＩＤタグ２からの応答の有無を記述するためのエリアを設けて構成されている。各エリアには、直前３回の問合せ信号の送信に対する応答有無が、「１（応答有り）」又は「０（応答無し）」のいずれかで記述される。なお、図示した例は、図８の指定画面６にて「キーケース」，「ＵＳＢメモリ」，「仕事用携帯電話」が指定された状態で忘れ物警告処理が起動された際に生成される指定タグテーブル１１２を示している。すなわち、図５に示した登録タグテーブル１１１においてそれぞれ「キーケース」，「ＵＳＢメモリ」，「仕事用携帯電話」に対応するタグコード「コードＣ１」，「コードＣ４」，「コードＣ５」に対し、上記応答有無を記述するためのエリアが設けられている。
【００３４】
このような構成の指定タグテーブル１１２を生成した後、警告部１０４は、リーダユニット１６にリードコマンドを出力するとともに（ステップＳ２０３）、タイマ１０５にタイムカウントを開始させる（ステップＳ２０４）。
【００３５】
上記リードコマンドを受け、リーダ制御部１６０から送信データ信号が送信部１６１に出力され、アンテナ１６２から問合せ信号が無線送信される。このとき、アンテナ１６２の交信領域内に存在する各ＲＦＩＤタグ２から応答信号が無線送信され、これら応答信号がアンテナ１６２で受信され、受信部１６３およびＡＧＣ回路１６４を経てリーダ制御部１６０に入力される。リーダ制御部１６０は、入力された各応答信号を主制御部１０に出力する。
【００３６】
ステップＳ２０３，２０４の処理の後、警告部１０４は、リーダ制御部１６０から主制御部１０に入力された応答信号で示されるタグコードと、監視対象のＲＦＩＤタグ２のタグコードとを照合し、監視対象のＲＦＩＤタグ２からの応答の有無を判定する（ステップＳ２０５）。判定した応答有無は、指定タグテーブル１１２に記述する（ステップＳ２０６）。今、忘れ物警告処理が開始された後、最初のリードコマンド出力に対する応答有無の判定であるので、ステップＳ２０６の処理においては、「今回」のエリアに応答有無が記述される。なお、アンテナ１６２の交信領域内にＲＦＩＤタグ２が１つも存在しない場合には、リーダ制御部１６０から主制御部１０に応答信号が出力されない。この場合、全てのタグコードに対する「今回」のエリアに「０（応答無し）」が記述される。
【００３７】
応答有無を指定タグテーブル１１２に記述した後、警告部１０４は、指定タグテーブル１１２を参照し、３回続けて応答無しとされたＲＦＩＤタグ２が有るか否かを判定する（ステップＳ２０７）。今、忘れ物警告処理が開始された後、最初のリードコマンド出力に対する処理であるので、「今回」のエリアにのみ応答有無が記述され、「前回」，「前々回」のエリアに応答有無が記述されていない。したがって、３回続けて応答無しとされたＲＦＩＤタグ２は無いと判定し（ステップＳ２０７のＮｏ）、警告部１０４は、一連の処理の終了が指示されたか否かを判定する（ステップＳ２０８）。ユーザが処理の終了を指示していないならば（ステップＳ２０８のＮｏ）、警告部１０４は、タイマ１０５のタイムカウントが予め定められた待ち時間Ｔ（Ｔ＞０）に達するまで待機する（ステップＳ２０９のＮｏ）。やがてタイマ１０５のタイムカウントが待ち時間Ｔに達すると（ステップＳ２０９のＹｅｓ）、警告部１０４は、再びリードコマンドを出力し（ステップＳ２０３）、タイマ１０５のタイムカウントをリセットする（ステップＳ２０４）。上記待ち時間Ｔは、リードコマンドの出力間隔を調整するための時間であり、例えば２秒に設定される。この場合、リードコマンドが略２秒間隔で出力されることになる。
【００３８】
第２回目のリードコマンド出力後におけるステップＳ２０６の処理において、警告部１０４は、指定タグテーブル１１２の「今回」のエリアに記述された応答有無を「前回」のエリアにずらし、「今回」のエリアに直前のステップＳ２０５の処理にて判定された応答有無を記述する。その後、ステップＳ２０７の処理においては、「前々回」のエリアに応答有無が記述されていないために３回続けて応答無しとされたＲＦＩＤタグ２は無いと判定し（ステップＳ２０７のＮｏ）、ステップＳ２０８の処理に進む。
【００３９】
第３回目以降のリードコマンド出力後におけるステップＳ２０６の処理において、警告部１０４は、指定タグテーブル１１２の「今回」および「前回」のエリアに記述された応答有無をそれぞれ「前回」および「前々回」のエリアにずらし、「今回」のエリアに直前のステップＳ２０５の処理にて判定された応答有無を記述する。その後、ステップＳ２０７の処理においては、指定タグテーブル１１２の各タグコードにつき「今回」，「前回」，「前々回」の全てに「０（応答無し）」が記述されたタグコードが有るか否かを判定する。このようなタグコードがないならば、ステップＳ２０８の処理に進む。
【００４０】
一方、「今回」，「前回」，「前々回」の全てに「０（応答無し）」が記述されたタグコードが有る場合（ステップＳ２０７のＹｅｓ）、警告部１０４は、現在、携帯電話１が通信部１４による通話中であるか否かを判定する（ステップＳ２１０）。通話中でない場合（ステップＳ２１０のＮｏ）、警告部１０４は、スピーカ１８にビープ音等の警告音を発生させる（ステップＳ２１１）。これに合わせて、「今回」，「前回」，「前々回」の全てに「０（応答無し）」が記述されたタグコードの登録名称を登録タグテーブル１１１から抽出し、この抽出した登録名称を忘れ物が有る旨の警告メッセージとともにディスプレイ１２に表示させる。かくして、指定されたＲＦＩＤタグ２の中に、３回続けて応答信号が得られないものがある旨が報知される。ステップＳ２１１の警告処理は、入力部１３の操作により警告解除が指示されるまで継続して実行される。
【００４１】
やがて警告解除が指示されると（ステップＳ２１２のＹｅｓ）、警告部１０４は、警告音の発生を停止させるとともに、ディスプレイ１２の警告メッセージ等を消去させる。しかる後、ステップＳ２０８の処理に進む。なお、スヌーズ機能を採用し、警告解除が指示された後にも一定時間置きに警告が発せられるようにしてもよい。また、このようなスヌーズ機能を採用する場合には、設定により当該スヌーズ機能のＯＮ／ＯＦＦを切り替えられるようにしてもよい。
【００４２】
ステップＳ２１０の処理において、携帯電話１が通信部１４による通話中である場合（ステップＳ２１０のＹｅｓ）、警告部１０４は、ステップＳ２０８の処理に進む。すなわち、通話中にはいずれかの監視対象のＲＦＩＤタグ２から３回続けて応答信号が得られなかった場合であっても、警告を行わない。
【００４３】
当該忘れ物警告処理が開始された後、ユーザが入力部１３を操作して忘れ物警告処理の終了を指示すると（ステップＳ２０８）、警告部１０４は、図９に示した一連の処理を終了する。
【００４４】
このように、警告部１０４は、監視対象のＲＦＩＤタグ２からの応答信号が所定時間（約待ち時間Ｔ×３）得られないことに応じて警告を発し、その旨を報知する。また、指定画面６にて複数のＲＦＩＤタグ２が指定されているとき、これら指定されたＲＦＩＤタグ２の中に応答信号が所定時間得られないものが１つでもあるならば警告を発し、その旨を報知する。
【００４５】
［作用］  
本実施形態の作用について説明する。  
携帯電話１のユーザは、外出先等に置き忘れ易い物品等を携帯電話１にて管理すべく、それらにＲＦＩＤタグ２を取り付け、登録処理を実行して当該取り付けたＲＦＩＤタグ２を登録タグテーブル１１１に登録する。
【００４６】
その後、例えば外出時に、その日の自分の持ち物に取り付けられたＲＦＩＤタグ２を指定画面６で監視対象として指定し、忘れ物警告処理を起動する。このとき、監視対象のＲＦＩＤタグ２が取り付けられた物品をユーザが持ち歩いているバッグ等に入れている場合には、当該ＲＦＩＤタグ２からの応答信号が得られるので、警告は発せられない。
【００４７】
ユーザが外出先で監視対象のＲＦＩＤタグ２が取り付けられた物品を使用し、バッグ等にしまい忘れたまま携帯電話１を持って当該外出先を立ち去ると、当該ＲＦＩＤタグ２がリーダユニット１６の交信領域から外れ、当該ＲＦＩＤタグ２からの応答信号が得られなくなる。この場合には、３回続けて当該ＲＦＩＤタグ２からの応答信号が得られなくなった際に、スピーカ１８から警告音が発せられるので、ユーザは忘れ物があることを察知できる。
【００４８】
また、図３に示したキーホルダー型のＲＦＩＤタグ２をジーンズのベルト通し穴等に取り付け、当該ＲＦＩＤタグ２を監視対象として忘れ物警告処理を起動しておくとの使用方法も想定できる。この場合、携帯電話１をどこかに置いたままユーザがその場を立ち去ろうとすると監視対象のＲＦＩＤタグ２がリーダユニット１６の交信領域から外れ、当該ＲＦＩＤタグ２からの応答信号が得られなくなるので、スピーカ１８から警告音が発せられ、ユーザは携帯電話１を置き忘れていることを察知できる。
【００４９】
このように、本実施形態における携帯電話１は、警告部１０４による忘れ物警告処理を活用することで、リーダユニット１６による無線通信により忘れ物の有無を容易かつ確実に察知できる。  
なお、携帯電話１が通話中である場合には、忘れ物の警告がなされない。したがって、複数人での集まりの最中に通話のため一時離席したような場合には警告音が発せられず、通話の邪魔になることはない。
【００５０】
（変形例）
上記実施形態にて開示した構成は、種々変形実施可能である。具体的な変形例としては、例えば次のようなものがある。
【００５１】
（１）上記実施形態においては、携帯電話１にリーダユニット１６を設け、この携帯電話１にて登録処理や忘れ物警告処理を実行する場合を例示した。しかしながら、リーダユニット１６は携帯電話１の外部接続端子に外付けされてもよい。また、携帯電話以外の端末、例えば倉庫や店舗での物品管理に使用されるハンディターミナルにリーダユニット１６を設け、このハンディターミナルに登録処理や忘れ物警告処理を実行させてもよい。
【００５２】
（２）上記実施形態においては、携帯電話１にて登録処理を行い、管理対象のＲＦＩＤタグ２のタグデータ等を登録タグテーブル１１１に登録するとした。しかしながら、パーソナルコンピュータ等の端末を用いて登録タグテーブル１１１を作成しておき、作成後のテーブル１１１をインターネット等を介して携帯電話１に送信し、この送信されたテーブル１１１を用いて携帯電話１にて忘れ物警告処理が実行される構成としてもよい。
【００５３】
（３）上記実施形態においては、指定画面６において指定されたＲＦＩＤタグ２を監視対象として忘れ物警告処理を実行するとした。しかしながら、予め携帯電話１やパーソナルコンピュータ等の端末を用いて監視対象とすべきＲＦＩＤタグ２を指定したファイルを作成しておき、所定の操作によりそのファイルを読み出して忘れ物警告処理における監視対象のＲＦＩＤタグ２を設定するようにしてもよい。
【００５４】
（４）上記実施形態では、３回続けて監視対象のＲＦＩＤタグ２からの応答信号が得られないことを条件に警告を行うとした。しかしながら、当該条件に代え、１回，２回，あるいは４回以上で設定された所定回数続けて監視対象のＲＦＩＤタグ２からの応答信号が得られないことを条件に警告を行うようにしてもよい。
【００５５】
（５）上記実施形態においては、３回続けて監視対象のＲＦＩＤタグ２からの応答信号が得られない場合であっても、通話中であれば警告を行わないとした。しかしながら、通話中の警告可否は、設定により変更できるようにしてもよい。通話中の警告が許可された場合にはステップＳ２１０の処理が省略される。また、ステップＳ２１０の処理においては、通話中であることを条件に警告を行わないとするのではなく、電子メールの作成中や送受信中であること、或いは他のアプリケーションの実行中であること等を条件に警告を行わないようにしてもよい。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
本願の出願当初の特許請求の範囲に記載された発明を以下に付記する。
［１］無線タグに対する問合せ信号を所定間隔で無線送信する送信手段と、この送信手段から無線送信される問合せ信号に対して無線タグから無線送信される応答信号を受信する受信手段と、予め指定された無線タグからの応答信号が前記受信手段により所定時間受信されないことに応じてその旨を報知する報知手段と、を備えていることを特徴とする無線通信装置。
［２］１又は複数の無線タグが登録された記憶手段と、前記記憶手段に登録された無線タグの中から任意の無線タグの指定を受け付ける指定手段と、をさらに備え、前記報知手段は、前記指定手段により指定された無線タグからの応答信号が前記受信手段により所定時間受信されないことに応じてその旨を報知することを特徴とする上記［１］に記載の無線通信装置。
［３］無線タグの登録処理及び前記報知手段による報知処理のいずれかを選択する選択手段と、この選択手段で前記登録処理が選択されているとき、前記受信手段で応答信号が受信された無線タグを前記記憶手段に登録する登録手段と、をさらに備え、前記報知手段は、前記選択手段で前記報知処理が選択されているとき、前記指定手段により指定された無線タグからの応答信号が前記受信手段により所定時間受信されないことに応じてその旨を報知することを特徴とする上記［２］に記載の無線通信装置。
［４］前記報知手段は、複数の無線タグが指定されているとき、これら指定された無線タグの中に応答信号が前記受信手段により所定時間受信されないものが１つでもあるならばその旨を報知することを特徴とする上記［１］乃至［３］のうちいずれか１に記載の無線通信装置。
［５］前記報知手段は、当該無線通信装置により所定の処理が実行されている間、報知を行わないことを特徴とする上記［１］乃至［４］のうちいずれか１に記載の無線通信装置。
［６］無線タグに対する問合せ信号を所定間隔で無線送信する送信手段と、この送信手段から無線送信される問合せ信号に対して無線タグから無線送信される応答信号を受信する受信手段と、を備えたコンピュータに、予め指定された無線タグからの応答信号が前記受信手段により所定時間受信されないことに応じてその旨を報知する報知機能を実現させるための制御プログラム。
【符号の説明】
【００５７】
１…携帯電話、２…ＲＦＩＤタグ、１０…主制御部、１１…メモリ、１２…ディスプレイ、１３…入力部、１６…リーダユニット、１６０…リーダ制御部、１６１…送信部、１６２…ＲＦＩＤ用アンテナ、１６３…受信部、１６４…ＡＧＣ回路、１０１…選択部、１０２…登録部、１０３…指定部、１０４…報知部、１０５…タイマ、１１１…登録タグテーブル、１１２…指定タグテーブル
【図１】
0005222925.tif 000002
【図２】
0005222925.tif 000003
【図３】
0005222925.tif 000004
【図４】
0005222925.tif 000005
【図５】
0005222925.tif 000006
【図６】
0005222925.tif 000007
【図７】
0005222925.tif 000008
【図８】
0005222925.tif 000009
【図９】
0005222925.tif 000010
【図１０】
0005222925.tif 000011